(57)【特許請求の範囲】
【請求項１】
被写体からの光を集光して結像する光学系と、該光学系が結像した光を光電変換することによって画像データを生成する撮像素子と、前記画像データに対応する画像を表示可能な表示部とを備え、前記表示部が表示する画像中で指定された領域に対応する部分画像を撮影可能な撮像装置であって、
前記光学系が有する光学特性に基づいて、前記光学系のコマ収差に起因して前記部分画像に生じた光点のボケの形状を対称化する補正を行う補正部を備えたことを特徴とする撮像装置。
【請求項２】
前記補正部は、
前記光点のメリジオナル方向およびサジタル方向の一方の幅を他方の幅と等しくする補正を行うことによって前記光点のボケの形状を対称化することを特徴とする請求項１に記載の撮像装置。
【請求項３】
前記部分画像に対して前記補正部による補正が必要であるか否かを判定する判定部をさらに備え、
前記補正部は、前記判定部によって補正が必要であると判定された場合に前記部分画像の補正を行うことを特徴とする請求項１または２に記載の撮像装置。
【請求項４】
前記表示部が表示する画像および前記部分画像を並行して撮像可能であることを特徴とする請求項１〜３のいずれか一項に記載の撮像装置。
【請求項５】
前記撮像素子、前記表示部、および前記補正部を含む本体部と、
前記光学系、および前記光学系の光学特性情報を記録する光学特性情報記録部を含み、前記本体部との間で通信可能であるとともに前記本体部に対して着脱自在であるレンズ部と、
を有し、
前記補正部は、
前記レンズ部から受信した前記光学特性情報に基づいて前記部分画像の補正を行うことを特徴とする請求項１〜４のいずれか一項に記載の撮像装置。
【請求項６】
前記表示部の表示画面に重ねて設けられ、外部からの接触位置に応じて前記部分画像を指定する信号の入力を受け付ける入力部をさらに備えたことを特徴とする請求項１〜５のいずれか一項に記載の撮像装置。
【発明の詳細な説明】
【技術分野】
【０００１】
本発明は、被写体を撮像して該被写体の画像データを生成する撮像装置に関する。
【背景技術】
【０００２】
従来、一つの撮影画像から２個の異なる画像を生成し、両画像を１画面分の画像に合成して表示することができる撮像装置が知られている（例えば、特許文献１を参照）。この撮像装置では、撮影画面内の部分領域である第１の領域の画像信号と、第１の領域に含まれる第２の領域の画像信号とを抽出し、第２の領域の画像信号を第１の領域を除いた領域のサイズに拡大して第１の領域の画像信号と合成することにより、１画面分の表示用の画像信号を生成する。
【０００３】
ところで、撮影画面内の部分領域の画像（部分画像）の場合、一般に撮影画面とは画面中心の位置が異なる。このため、光学系がコマ収差や倍率色収差等の非対称収差を有している場合には、部分画像において収差の影響（コマ収差における光点ボケなど）がアンバランスで不自然に見えてしまうことがあった。
【０００４】
上述した非対称収差の影響を補正する技術として、撮像系の光学伝達係数（ＯＴＦ）に基づいて生成または選択された画像回復フィルタによって画像の位相劣化成分を低減させる補正を行う技術が開示されている（例えば、特許文献２を参照）。
【先行技術文献】
【特許文献】
【０００５】
【特許文献１】特開平５−２５２４４０号公報
【特許文献２】特開２０１１−１２３５８９号公報
【発明の概要】
【発明が解決しようとする課題】
【０００６】
しかしながら、上述した特許文献２に記載の技術は、あくまでも画面全体における画質の劣化を防止するものであり、画面の一部である部分画像に生じる不自然さを解消することは想定されていなかった。
【０００７】
本発明は、上記に鑑みてなされたものであって、撮像画像の部分画像において収差に基づいて生じる不自然さを解消することができる撮像装置を提供することを目的とする。
【課題を解決するための手段】
【０００８】
上述した課題を解決し、目的を達成するために、本発明に係る撮像装置は、被写体からの光を集光して結像する光学系と、該光学系が結像した光を光電変換することによって画像データを生成する撮像素子と、前記画像データに対応する画像を表示可能な表示部とを備え、前記表示部が表示する画像中で指定された領域に対応する部分画像を撮影可能な撮像装置であって、前記光学系が有する光学特性に基づいて、前記部分画像における非対称部分を補正する補正部を備えたことを特徴とする。
【０００９】
また、本発明に係る撮像装置は、上記発明において、前記部分画像に対して前記補正部による補正が必要であるか否かを判定する判定部をさらに備え、前記補正部は、前記判定部によって補正が必要であると判定された場合に前記部分画像の補正を行うことを特徴とする。
【００１０】
また、本発明に係る撮像装置は、上記発明において、前記補正部は、前記光学系の非対称収差に起因して前記部分画像に生じた非対称部分を対称化することを特徴とする。
【００１１】
また、本発明に係る撮像装置は、上記発明において、前記非対称収差はコマ収差であり、前記非対称部分は光点のボケであることを特徴とする。
【００１２】
また、本発明に係る撮像装置は、上記発明において、前記補正部は、前記光学系の周辺光量の低下に起因して前記部分画像に生じた非対称部分を対称化することを特徴とする。
【００１３】
また、本発明に係る撮像装置は、上記発明において、前記表示部が表示する画像および前記部分画像を並行して撮像可能であることを特徴とする。
【００１４】
また、本発明に係る撮像装置は、上記発明において、前記撮像素子、前記表示部、および前記補正部を含む本体部と、前記光学系、および前記光学系の光学特性情報を記録する光学特性情報記録部を含み、前記本体部との間で通信可能であるとともに前記本体部に対して着脱自在であるレンズ部と、を有し、前記補正部は、前記レンズ部から受信した前記光学特性情報に基づいて前記部分画像の補正を行うことを特徴とする。
【００１５】
また、本発明に係る撮像装置は、上記発明において、前記表示部の表示画面に重ねて設けられ、外部からの接触位置に応じて前記部分領域を指定する信号の入力を受け付ける入力部をさらに備えたことを特徴とする。
【発明の効果】
【００１６】
本発明によれば、光学系が有する光学特性に基づいて撮像画像の部分画像における非対称部分を補正するため、撮像画像の部分画像において収差に基づいて生じる不自然さを解消することができる。
【図面の簡単な説明】
【００１７】
【図１】図１は、本発明の実施の形態１に係る撮像装置の構成を示すブロック図である。
【図２】図２は、本発明の実施の形態１に係る撮像装置のレンズ情報記録部が記録する光学特性情報の例を示す図である。
【図３】図３は、図２に示す光学特性情報をグラフ化した図（ＭＴＦチャート）である。
【図４】図４は、本発明の実施の形態１に係る撮像装置が備える制御部とレンズ制御部との同期通信の一例を示すタイミングチャートである。
【図５】図５は、本発明の実施の形態１に係る撮像装置を用いて撮影を行う状況を模式的に示す図である。
【図６】図６は、本発明の実施の形態１に係る撮像装置が図５に示す状況で撮像した場合の表示部におけるスルー画表示の画面表示例を示す図である。
【図７】図７は、本発明の実施の形態１に係る撮像装置が備える切出し処理部が切出した部分画像における補正処理の概要を示す図である。
【図８】図８は、本発明の実施の形態１に係る撮像装置が行う処理の概要を示すフローチャートである。
【図９】図９は、本発明の実施の形態１に係る撮像装置が備える切出し処理部が切出した部分画像を模式的に示す図である。
【図１０】図１０は、図９に示す光点のサジタル方向における輝度分布を示す図である。
【図１１】図１１は、図９に示す光点のメリジオナル方向における輝度分布を示す図である。
【図１２】図１２は、本発明の実施の形態１に係る撮像装置が行う画像補正処理の概要を示すフローチャートである。
【図１３】図１３は、ボケ部の周辺が低コントラストである場合の処理の概要を模式的に示す図である。
【図１４】図１４は、本発明の実施の形態１に係る撮像装置の補正部が行う対称化処理における光点の輝度分布の変化を示す図である。
【図１５】図１５は、本発明の実施の形態１に係る撮像装置の補正部が行うボケ部の補正処理（第１例）の概要を示す図である。
【図１６】図１６は、本発明の実施の形態１に係る撮像装置の補正部が行うボケ部の補正処理（第２例）の概要を示す図である。
【図１７】図１７は、本発明の実施の形態１に係る撮像装置が表示部が主画像と部分画像をともに表示するスルー画の表示例を示す図である。
【図１８】図１８は、本発明の実施の形態２に係る撮像装置が行う処理の概要を示すフローチャートである。
【図１９】図１９は、本発明の実施の形態２に係る撮像装置が行う画像補正処理の概要を示すフローチャートである。
【図２０】図２０は、本発明の実施の形態２に係る撮像装置が行うボケ部の記録処理を説明する図である。
【図２１】図２１は、本発明の実施の形態２に係る撮像装置が行う画像補正処理の概要を示す図である。
【図２２】図２２は、本発明の実施の形態３に係る撮像装置が処理対象とする画像の例を示す図である。
【図２３】図２３は、本発明の実施の形態３に係る撮像装置のレンズ情報記録部が記録する周辺光量と画像の像高との関係を示す図である。
【図２４】図２４は、本発明の実施の形態３に係る撮像装置が行う画像補正処理の概要を模式的に示す図である。
【発明を実施するための形態】
【００１８】
以下、添付図面を参照して、本発明を実施するための形態（以下、「実施の形態」という）を説明する。
【００１９】
（実施の形態１）
図１は、本発明の実施の形態１に係る撮像装置の構成を示すブロック図である。同図に示す撮像装置１は、本体部２と、本体部２に着脱自在なレンズ部３と、を備える。また、撮像装置１の本体部２には、アクセサリ部４を着脱自在に取付可能である。
【００２０】
本体部２は、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、表示部２１と、表示駆動部２２と、記録媒体２３と、メモリＩ／Ｆ２４と、ＳＤＲＡＭ（Synchronous  Dynamic  Random  Access  Memory）２５と、Ｆｌａｓｈメモリ２６と、本体通信部２７と、第２通信部２８と、制御部２９と、を備える。本体部２内部のデータの転送は、バス２Ｂを介して行われる。
【００２１】
シャッタ１０は、撮像素子１２の状態を露光状態または遮光状態に設定する。シャッタ駆動部１１は、ステッピングモータ等を用いて構成され、制御部２９から入力される指示信号に応じてシャッタ１０を駆動する。
【００２２】
撮像素子１２は、レンズ部３が集光した光を受光して電気信号に変換するＣＣＤ（Charge  Coupled  Device）またはＣＭＯＳ（Complementary  Metal  Oxide  Semiconductor）等を用いて構成される。撮像素子駆動部１３は、所定のタイミングで撮像素子１２から画像データ（アナログ信号）を信号処理部１４に出力させる。この意味で、撮像素子駆動部１３は、電子シャッタとして機能する。
【００２３】
信号処理部１４は、撮像素子１２から入力されるアナログ信号に対して、アナログ処理を施してＡ／Ｄ変換部１５に出力する。具体的には、信号処理部１４は、アナログ信号に対して、ノイズ低減処理およびゲインアップ処理等を行う。例えば、信号処理部１４は、アナログ信号に対して、リセットノイズ等を低減した上で波形整形を行い、さらに目的の明るさとなるようにゲインアップを行う。
【００２４】
Ａ／Ｄ変換部１５は、信号処理部１４から入力されるアナログ信号に対してＡ／Ｄ変換を行うことによってデジタルの画像データを生成し、ＳＤＲＡＭ２５に出力する。
【００２５】
画像処理部１６は、ＳＤＲＡＭ２５から画像データを取得し、取得した画像データ（ＲＡＷデータ）に対して各種の画像処理を行う。処理済みの画像データは、ＳＤＲＡＭ２５に出力される。画像処理部１６は、入力部２０から入力された信号に基づいて表示画像内の所定領域を切り出す切出し処理部１６１と、切出された領域に対応する部分画像における非対称部分を、レンズ部３が有する光学系の光学特性に基づいて補正する補正部１６２と、を有する。補正部１６２は、より具体的には、光学系が有する非対称収差であるコマ収差に起因する光点のボケを補正する。また、画像処理部１６は、画像データに対して、少なくとも、オプティカルブラック減算処理、ホワイトバランス（ＷＢ）調整処理、撮像素子がベイヤー配列の場合には画像データの同時化処理、カラーマトリクス演算処理、ガンマ補正処理、色再現処理およびエッジ強調処理等を含む基本の画像処理を行う。
【００２６】
ＡＥ処理部１７は、ＳＤＲＡＭ２５に記録された画像データを取得し、取得した画像データに基づいて、静止画撮影または動画撮影を行う際の露出条件を設定する。具体的には、ＡＥ処理部１７は、画像データから輝度を算出し、算出した輝度に基づいて、例えば絞り値（Ｆ値）の設定値、シャッタ速度等を決定することで撮像装置１の自動露出を行う。
【００２７】
ＡＦ処理部１８は、ＳＤＲＡＭ２５に記録された画像データを取得し、取得した画像データに基づいて、撮像装置１の自動焦点の調整を行う。例えば、ＡＦ処理部１８は、画像データから高周波成分の信号を取り出し、高周波成分の信号に対してＡＦ（Auto  Focus）演算処理（コントラストＡＦ処理と呼ばれることもある）を行うことによって、撮像装置１の合焦評価を決定することで撮像装置１の自動焦点の調整を行う。
【００２８】
画像圧縮展開部１９は、ＳＤＲＡＭ２５から画像データを取得し、取得した画像データに対して所定の形式に従って圧縮し、この圧縮した画像データをＳＤＲＡＭ２５に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１９は、バス２ＢおよびメモリＩ／Ｆ２４を介して記録媒体２３に記録された画像データ（圧縮画像データ）を取得し、取得した画像データを展開（伸長）してＳＤＲＡＭ２５に出力する。なお、記録媒体２３の代わりに撮像装置１の内部に記憶部を設けてもよい。
【００２９】
入力部２０は、表示部２１の表示画面上に重ねて設けられ、外部からの接触位置に応じた信号の入力を受け付けるタッチパネル２０１を有する。入力部２０は、タッチパネル２０１を含む操作信号入力用のユーザインターフェースを用いて実現される。このような入力部２０には、静止画撮影時の撮影信号の入力を受け付けるレリーズボタン、各種設定を切り替える操作ボタン、撮像装置１の各種設定を表示部２１に表示させるメニューボタン、動画撮影の指示を与える動画ボタンなどが含まれる。
【００３０】
表示部２１は、液晶または有機ＥＬ（Electro  Luminescence）等からなる表示パネルを用いて構成される。表示駆動部２２は、ＳＤＲＡＭ２５が記憶する画像データまたは記録媒体２３が記憶する画像データを取得し、取得した画像データに対応する画像を表示部２１に表示させる。ここで、画像の表示には、撮影直後の画像データを所定時間（例えば３秒間）だけ表示するレックビュー表示、記録媒体２３に記録された画像データを再生する再生表示、および撮像素子１２が連続的に生成する画像データに対応するスルー画像を時系列に沿って順次表示するスルー画表示等が含まれる。また、表示部２１は、撮像装置１の操作情報および撮影に関する情報を適宜表示する。
【００３１】
記録媒体２３は、撮像装置１の外部から装着されるメモリカード等を用いて構成される。記録媒体２３は、メモリＩ／Ｆ２４を介して撮像装置１に着脱自在に装着される。記録媒体２３には、その種類に応じた図示しない読み書き装置によって画像処理部１６や画像圧縮展開部１９が処理を施した画像データが書き込まれ、または読み書き装置によって記録媒体２３に記録された画像データが読み出される。また、記録媒体２３は、制御部２９の制御のもと、メモリＩ／Ｆ２４およびバス２Ｂを介して撮像プログラムおよび各種情報それぞれをＦｌａｓｈメモリ２６に出力してもよい。
【００３２】
ＳＤＲＡＭ２５は、揮発性メモリを用いて構成される。ＳＤＲＡＭ２５は、バス２Ｂを介してＡ／Ｄ変換部１５から入力される画像データ、画像処理部１６から入力される処理画像データおよび撮像装置１の処理中の情報を一時的に記憶する一次記憶部としての機能を有する。例えば、ＳＤＲＡＭ２５は、信号処理部１４、Ａ／Ｄ変換部１５およびバス２Ｂを介して、撮像素子１２が１フレーム毎に順次出力する画像データを一時的に記憶する。
【００３３】
Ｆｌａｓｈメモリ２６は、不揮発性メモリを用いて構成され、プログラム記録部２６１と、レンズ情報記録部２６２とを有する。
プログラム記録部２６１は、撮像装置１を動作させるための各種プログラム、撮像プログラムおよびプログラムの実行中に使用される各種データおよび画像処理部１６による画像処理の動作に必要な各種パラメータ等を記録する。
【００３４】
レンズ情報記録部２６２は、レンズ部３から受信したレンズ部３の光学特性情報を記録する。本実施の形態１では、光学特性情報として、変調伝達関数（以下、「ＭＴＦ」という）に関する情報を記録する。図２は、レンズ情報記録部２６２が記録する光学特性情報の例を示す図である。また、図３は、図２に示す光学特性情報をグラフ化した図（ＭＴＦチャート）である。本実施の形態１では、光学特性情報として、ＭＴＦと像高の関係を適用する。これらの図に示す光学特性情報は、画面の像高とＭＴＦ値との関係を示す情報である。図２および図３では、空間周波数２０本／ｍｍにおけるサジタル方向（２０Ｓ）とメリジオナル方向（２０Ｍ）の像高比とＭＴＦ値（コントラスト）との関係を示している。図３において、実線で記載された曲線１０１はサジタル方向のＭＴＦ曲線であり、破線で記載された曲線１０２はメリジオナル方向のＭＴＦ曲線である。像高比は、画面の中心から対角端までの距離に対する比であり、対角端が１である。なお、ＭＴＦ値は、空間周波数のほか、焦点距離、絞り（Ｆ値）等の撮影条件に応じて値が異なる。このため、レンズ情報記録部２６２は、空間周波数、焦点距離、絞り等の条件が互いに異なる複数のＭＴＦチャートを記録している。
【００３５】
本体通信部２７は、本体部２に装着されたレンズ部３との通信を行うための通信インターフェースである。本体通信部２７には、レンズ部３との電気的な接点も含まれる。
【００３６】
第２通信部２８は、本体部２に装着されたアクセサリ部４との通信を行うためのインターフェースである。第２通信部２８には、アクセサリ部４との電気的な接点も含まれる。図１に示す場合、アクセサリ部４として電子ビューファインダを装着した場合を示している。このため、アクセサリ部４は、本体部２との通信インターフェースである通信部４１と、通信部４１を介して受信した画像情報を表示する接眼表示部４２とを有する。なお、本体部２には、電子ビューファインダ以外のアクセサリ部も装着可能である。このようなアクセサリ部として、補助光を投射するエレクトロニックフラッシュを挙げることができる。
【００３７】
制御部２９は、ＣＰＵ（Central  Processing  Unit）等を用いて構成される。制御部２９は、レンズ部３が有する光学系のコマ収差に起因するボケの有無を判定する判定部２９１と、タッチパネル２０１から受信した信号に応じたタッチ位置を検出するタッチ検出部２９２と、表示部２１の表示態様を制御する表示制御部２９３と、を有する。制御部２９は、バス２Ｂを介して撮像装置１を構成する各部に対して制御信号や各種データの送信を行うことにより、撮像装置１の動作を統括的に制御する。
【００３８】
制御部２９は、入力部２０から撮影動作の開始信号が入力された場合、撮影動作を開始する制御を行う。ここでいう撮影動作とは、シャッタ駆動部１１および撮像素子駆動部１３の駆動によって撮像素子１２が出力した画像データに対し、信号処理部１４、Ａ／Ｄ変換部１５および画像処理部１６が所定の処理を施す動作のことである。信号処理部１４、Ａ／Ｄ変換部１５および画像処理部１６によって所定の処理が施された画像データは、制御部２９の制御のもと、画像圧縮展開部１９で所定の形式にしたがって圧縮され、バス２ＢおよびメモリＩ／Ｆ２４を介して記録媒体２３に記録される。なお、記録媒体２３とは別に撮像装置１の内部に所定の記録領域を確保し、この記録領域に圧縮した画像データを記憶するようにしてもよい。
【００３９】
以上の構成を有する本体部２に対して、音声入出力部、被写体に対して補助光（フラッシュ）を発光する補助光発光部、インターネットを介して外部の装置と双方向に通信を行う機能を有する通信部などをさらに設けてもよい。
【００４０】
次に、レンズ部３の構成を説明する。レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００４１】
光学系３１は、一または複数のレンズを用いて構成される。光学系３１は、所定の視野領域から光を集光する。光学系３１は、画角を変化させる光学ズーム機能および焦点を変化させるフォーカス機能を有する。
【００４２】
レンズ駆動部３２は、ＤＣモータまたはステッピングモータ等を用いて構成され、光学系３１のレンズを光軸Ｌ上で移動させることにより、光学系３１のピント位置や画角等の変更を行う。
【００４３】
絞り３３は、光学系３１が集光した光の入射量を制限することにより露出の調整を行う。
絞り駆動部３４は、ステッピングモータ等を用いて構成され、絞り３３を駆動する。
【００４４】
レンズ操作部３５は、例えばレンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００４５】
レンズＦｌａｓｈメモリ３６は、光学系３１の光学特性に関する情報を記録する光学特性情報記録部３６１を有する。また、レンズＦｌａｓｈメモリ３６は、光学系３１の位置および動きを決定するための制御用プログラムおよび各種パラメータを記録する。
【００４６】
光学特性情報記録部３６１は、光学系３１の光学特性情報としてＭＴＦに関する情報を記憶する。光学特性情報は、本体部２のレンズ情報記録部２６２が記録する光学特性情報と実質的に同じである。
【００４７】
レンズ通信部３７は、レンズ部３が本体部２に装着されたときに、本体部２の本体通信部２７と通信を行うための通信インターフェースである。レンズ通信部３７には、本体部２との電気的な接点も含まれる。
【００４８】
レンズ制御部３８は、ＣＰＵ等を用いて構成される。レンズ制御部３８は、レンズ操作部３５の操作信号または本体部２からの指示信号に応じてレンズ部３の動作を制御する。レンズ制御部３８は、本体部２の制御部２９との間で所定の周期でレンズ通信信号を送受信することによって、本体部２との動作の連携を図っている。具体的には、レンズ制御部３８は、レンズ通信信号に含まれるレンズ操作部３５の操作信号に応じて、レンズ駆動部３２を駆動させてレンズ部３のピント合わせやズーム変更を行うとともに、絞り駆動部３４を駆動させて絞り値の変更を行う。レンズ制御部３８は、レンズ部３が本体部２に装着された際に、光学系３１の光学特性情報、ピント位置情報、焦点距離およびレンズ部３を識別する固有情報等を本体部２に送信する。
【００４９】
図４は、制御部２９とレンズ制御部３８との同期通信の一例を示すタイミングチャートである。なお、図４は、撮像素子１２がＣＭＯＳ型イメージセンサの場合を示している。図４（ａ）は本体部２内の処理を示している。図４（ｂ）は垂直同期信号を示している。図４（ｃ）は撮像、読み出しのタイミングを示している。図４（ｄ）はレンズ通信を示している。図４（ｅ）はレンズ通信同期信号を示している。図４（ｆ）はレンズ位置取得信号を示している。図４（ｇ）はレンズ部３内の処理を示している。
【００５０】
まず、制御部２９は、前フレームで取得した画像データによりライブビュー画像の画像処理およびＡＦ評価値の算出等を画像処理部１６に実行させるとともに、レンズ制御部３８にレンズ状態データを取得するためのレンズ状態データ要求コマンドを送信する（Ｂ１、ＢＬ）。この際、制御部２９は、同期通信モード中に、垂直同期信号と同じ周期でレンズ通信用の同期信号および光学系３１の位置情報を取得するタイミングを指示するレンズ位置取得信号を送信する。このレンズ位置取得信号は、図４（ｃ）に示すように撮像素子１２の中央部の蓄積時間の１／２が経過した時点で状態が変化する信号である。
【００５１】
レンズ制御部３８は、レンズ位置取得信号の状態が変化したタイミングで光学系３１の位置情報を取得するとともに、レンズ通信同期信号の受信タイミングでレンズ操作部３５の操作状態を検出する（Ｌ１）。
【００５２】
続いて、レンズ制御部３８は、制御部２９から受信したレンズ状態データ要求コマンドへの応答として、工程Ｌ１で取得した光学系３１の位置情報およびレンズ操作部３５の操作状態を含むレンズ状態データを制御部２９へ送信する（Ｌ２）。
【００５３】
この後、制御部２９は、レンズ制御部３８から送られてきたレンズ状態データに基づいて、ＡＦ評価値の算出や、露出値の変更等の各種設定変更を行う（Ｂ２）。
【００５４】
図５は、以上の構成を有する撮像装置１を用いて撮影を行う状況を模式的に示す図である。具体的には、図５は、撮像装置１を用いてビルの夜景を撮影する状況を模式的に示している。図５に示す点Ｐは、ビルの部屋から出てくる光の光点を模式的に示している（以下、光点Ｐという）。
【００５５】
図６は、図５に示す夜景を撮像装置１が表示部２１でスルー画表示する場合の画面表示例を示す図である。図６に示す画像３０１には、光学系３１のコマ収差に起因して、光点Ｐにボケが発生している。具体的には、本来点状をなす光点Ｐが、画面周辺部へ行くほど大きく広がり、画面中心Ｃから見て径方向へ放射状に尾を引いた形状をなしている。図６においては、画面左下にある光点Ｐ0が画面中心Ｃから最も遠い光点であり、画面内に含まれる光点の中でもっともボケている。
【００５６】
画像３０１の内部に記載された領域ＭＲは、ユーザが指でタッチパネル２０１をタッチした位置をタッチ検出部２９２が検出し、この検出した位置に対応する領域として切出し処理部１６１が切出した領域（以下、切出し領域という）である。切出し領域ＭＲのアスペクト比は画像３０１のアスペクト比と等しい。撮像装置１は、画像３０１の撮像と並行して切出し領域ＭＲを撮像するマルチレコーディング処理を実行可能である。以下、画像３０１を主画像といい、切出し領域ＭＲに対応する画像を部分画像ということがある。
【００５７】
図７は、撮像装置１が切出し領域ＭＲに対応する部分画像に対して行う画像補正処理の概要を示す図である。部分画像３０２にある４つの光点Ｐ1〜Ｐ4は、コマ収差に起因して放射状に尾を引いた形状をなしてボケている（図７（ａ））。この場合、判定部２９１は、これらの光点Ｐ1〜Ｐ4に対して補正が必要であると判定する。補正部１６２は、判定部２９１の判定結果に応じて光点Ｐ1〜Ｐ4を補正する。具体的には、補正部１６２は、レンズ情報記録部２６２が記録する光学特性情報に基づいて、光点Ｐ1〜Ｐ4を、略円形状の光点Ｑ1〜Ｑ4にそれぞれ補正する（図７（ｂ））。補正部１６２がこのような補正を行うことにより、補正後の部分画像３０３における光点は対称性を有し、あたかも部分画像３０３を主画像として撮像したようかのような違和感の少ない構図を有することとなる。
【００５８】
図８は、撮像装置１が行う処理の概要を示すフローチャートである。まず、制御部２９は、本体部２の電源がオンになっているか否かを判定する（ステップＳ１０１）。電源がオンになっている場合（ステップＳ１０１：Ｙｅｓ）、撮像装置１はステップＳ１０２へ移行する。一方、電源がオンになっていない場合（ステップＳ１０１：Ｎｏ）、撮像装置１はステップＳ１０１を繰り返す。
【００５９】
続いて、撮像装置１は、本体部２とレンズ部３との間で起動時のレンズ通信を行う（ステップＳ１０２）。このレンズ通信の際、レンズ部３は、光学特性情報を本体部２へ送信する。
【００６０】
続いて、制御部２９は、撮像装置１が撮影モードに設定されているかを判定する（ステップＳ１０３）。判定の結果、撮影モードに設定されている場合（ステップＳ１０３：Ｙｅｓ）、表示制御部２９３は表示部２１にスルー画を表示させる（ステップＳ１０４）。
【００６１】
この後、本体部２がレンズ部３との間でレンズ通信を行い（ステップＳ１０５）、その通信結果に基づいてＡＥ処理部１７によるＡＥ処理およびＡＦ処理部１８によるＡＦ処理を行う（ステップＳ１０６）。ステップＳ１０５におけるレンズ通信は、例えば図４を参照して説明したように行われる。
【００６２】
続いて、入力部２０によって撮像パラメータを変更を指示する信号が入力された場合（ステップＳ１０７：Ｙｅｓ）、制御部２９はパラメータを変更し（ステップＳ１０８）、後述するステップＳ１１５へ移行する。一方、入力部２０によって撮像パラメータの変更を指示する信号が入力されない場合（ステップＳ１０７：Ｎｏ）、撮像装置１は後述するステップＳ１０９へ移行する。
【００６３】
ステップＳ１０９でＭＲ操作が行われた場合（ステップＳ１０９：Ｙｅｓ）、撮像装置１は後述するステップＳ１１０へ移行する。一方、ステップＳ１０９でＭＲ操作が行われない場合（ステップＳ１０９：Ｎｏ）、撮像装置１は後述するステップＳ１１５へ移行する。
【００６４】
ステップＳ１１０において、切出し処理部１６１は、タッチ検出部２９２が検出したタッチ位置に基づいてＭＲ領域の設定処理を行う（ステップＳ１１０）。切出し処理部１６１は、タッチ位置を中心として所定の縦横比を有する領域を設定し、この領域を切出して部分画像とする。
【００６５】
続いて、判定部２９１は、ＭＲ領域内の周辺部におけるボケ判定を行う（ステップＳ１１１）。ボケ判定について、図９〜図１１を参照して具体的に説明する。図９は、切出し処理部１６１が切り出した部分画像を模式的に示す図である。図９に示す部分画像４０１は、全面にわたって一様に暗い画像の左上方に光点Ｐａが生じている画像である。光点Ｐａ内の点Ｏは、光点Ｐａ内で最大輝度値を有する点である。図９において、画面中心Ｃから見た径方向（ｒ軸方向）がメリジオナル方向であり、この径方向と点Ｏで直交する方向（θ軸方向）がサジタル方向である。図１０は、光点Ｐａのサジタル方向の輝度Ｌの分布を示す図である。図１１は、光点Ｐａのメリジオナル方向の輝度Ｌの分布を示す図である。図１０および図１１における原点Ｏの輝度Ｌmaxは、光点Ｐにおける最大輝度である。
【００６６】
図１０および図１１からも明らかなように、光点Ｐａにおける輝度分布の広がり方は、メリジオナル方向の方がサジタル方向よりも大きい。以下、最大輝度Ｌmaxの１／４以上の値を有する範囲を輝度曲線の幅という。図１０に示す輝度曲線１０３の幅はＳｂであり、図１１に示す輝度曲線１０４の幅はＭｂである。このとき、幅Ｓｂは幅Ｍｂよりも小さい（Ｓｂ＜Ｍｂ）。このことは、光点Ｐａにおいて、メリジオナル方向のボケがサジタル方向のボケよりも大きいことを意味している。
【００６７】
ステップＳ１１１において、判定部２９１は、幅Ｍｂと幅Ｓｂの関係を、レンズ情報記録部２６２が記録するＭＴＦ特性と比較することによってボケ判定を行う。具体的には、判定部２９１は、まず部分画像４０１の撮像条件におけるメリジオナル方向のＭＴＦ値ＭＴＦMとサジタル方向のＭＴＦ値ＭＴＦSとの比の値ＭＴＦM／ＭＴＦSと、輝度曲線１０３、１０４の幅の比の値Ｓｂ／Ｍｂとを比較する。比較の結果、この二つの比の値の差ＭＴＦM／ＭＴＦS−Ｓｂ／Ｍｂが所定範囲内にある場合、判定部２９１は、光点にコマ収差由来のボケが生じている（以下、ボケ部があるという）と判定する。一方、比較の結果、二つの比の値の差ＭＴＦM／ＭＴＦS−Ｓｂ／Ｍｂが所定範囲内にない場合、判定部２９１は、光点にコマ収差由来のボケが生じていないと判定する。
【００６８】
判定部２９１によってボケ部があると判定された場合（ステップＳ１１２：Ｙｅｓ）、補正部１６２は、レンズ情報記録部２６２が記録する光学特性情報に基づいて画像補正を行う（ステップＳ１１３）。一方、判定部２９１によってボケ部がないと判定された場合（ステップＳ１１２：Ｎｏ）、撮像装置１は後述するステップＳ１１４へ移行する。
【００６９】
図１２は、ステップＳ１１３の処理の概要を示すフローチャートである。まず、制御部２９は、画像内のボケ部を一つ抽出する（ステップＳ２０１）。続いて、制御部２９は、ボケ部の周辺が低コントラストであるか否かを判定する（ステップＳ２０２）。判定の結果、ボケ部の周辺が低コントラストである場合（ステップＳ２０２：Ｙｅｓ）、補正部１６２はボケ部の形状を対称化する（ステップＳ２０３）。
【００７０】
図１３は、ボケ部の周辺が低コントラストである場合の対称化処理の概要を模式的に示す図である。図１４は、対称化処理における光点の輝度分布の変化を示す図である。図１３（ａ）に示す部分画像４０１の光点Ｐａに対して、補正部１６２は、メリジオナル方向の輝度分布を点Ｏに対して対称となるように補正する。この結果、補正前の輝度曲線１０４は輝度曲線１０５に変化する。これにより、メリジオナル方向の光点の幅Ｍｂ’は、サジタル方向の光点の幅Ｓｂと略等しくなる。なお、ステップＳ２０３において、補正部１６２は、サジタル方向とメリジオナル方向の幅を等しくするような補正を行ってもよい。図１３（ｂ）は、補正部１６２がボケ部の形状を対称化した後の状態を模式的に示す図である。図１３（ｂ）に示す部分画像４０２において、光点Ｐｂは略円形をなしており、光点Ｐａの一部が余白領域となっている。
【００７１】
ステップＳ２０３の後、補正部１６２は、対称化処理によって光点Ｐａの領域に生じた余白を、その周辺の色を用いて充填する（ステップＳ２０４）。このステップＳ２０４の結果、図１３（ｃ）に示すような部分画像４０３が得られる。
【００７２】
続いて、制御部２９は、他に抽出すべきボケ部の有無を判定する（ステップＳ２０５）。判定の結果、他に抽出すべきボケ部がある場合（ステップＳ２０５：Ｙｅｓ）、撮像装置１はステップＳ２０１へ戻る。一方、判定の結果、他に抽出すべきボケ部がない場合（ステップＳ２０５：Ｎｏ）、撮像装置１はメインルーチンへ戻る。
【００７３】
ステップＳ２０２において、判定部２９１の判定の結果、ボケ部の周辺が低コントラストでない場合（ステップＳ２０２：Ｎｏ）を説明する。この場合、補正部１６２は、ボケ部を所定方向に沿って反転して両者を重畳する（ステップＳ２０６）。この後、撮像装置１は、ステップＳ２０５へ移行する。
【００７４】
図１５は、ステップＳ２０６の処理の概要を示す図である。図１５に示す場合、補正部１６２は、光点Ｐａをメリジオナル方向に沿って反転させた光点Ｐｃを重畳する。光点Ｐｃの配置位置は、光学系３１の輝度分布や光学系３１の光学特性情報に基づいて、像高に応じて重ねる割合を加減する（例えば、ＭＴＦ値の差が大きい場合、像高が大きい部分では重ね量を大きくする）ことによって定められる。なお、光点Ｐａを配置する際には、光点Ｐａと光点Ｐｃの重なる面積が最も大きくなるように光点Ｐｃを配置してもよいし、二つの光点のメリジオナル方向の端部同士が重なるように光点Ｐｃを配置してもよいし、両光点の重心同士が一致するように光点Ｐｃを配置してもよい。
【００７５】
なお、ステップＳ２０６において、補正部１６２が光点を反転したものをもとの光点に重畳する代わりに、もとの光点に外接する円形を作成することによって画像を補正してもよい。図１６は、この場合の補正部１６２が行う処理の概要を示す図である。補正部１６２は、光点Ｐａに外接する円を新たな光点Ｐｄとする。
【００７６】
以上説明したステップＳ１１３に続いて、表示制御部２９３は、補正後の部分画像を主画像とともにスルー画表示する（ステップＳ１１４）。図１７は、ステップＳ１１４で表示部２１が表示するスルー画の表示例を示す図である。図１７に示す主画像３０１と部分画像３０２は、図６および図７でそれぞれ示したものである。なお、図１７に示す状態で、ユーザが部分画像３０２の表示領域をタッチした場合、部分画像３０２が全画面に拡大表示されるようにしてもよい。この場合には、全画面表示された部分画像３０２をユーザがタッチした場合、図１７に示す表示態様に戻るようにすればよい。
【００７７】
続いて、撮影操作が行われた場合（ステップＳ１１５：Ｙｅｓ）、制御部２９は、絞り値を、ステップＳ１０６等の処理に基づいて定められた絞り値とする制御を行う（ステップＳ１１６）。続いて、撮像装置１は、画像を撮影して記録媒体２３へ記録する（ステップＳ１１７）。
【００７８】
ステップＳ１１７の後、電源をオフする操作が行われた場合（ステップＳ１１８：Ｙｅｓ）、撮像装置１は、一連の処理を終了する。一方、電源をオフする操作が行われない場合（ステップＳ１１８：Ｎｏ）、撮像装置１はステップＳ１０３へ戻る。
【００７９】
次に、ステップＳ１０３において、制御部２９が、撮影モードに設定されていないと判定した場合を説明する（ステップＳ１０３：Ｎｏ）。この場合において、再生モードが設定されているとき（ステップＳ１１９：Ｙｅｓ）、表示制御部２９３は所定の画像を再生する（ステップＳ１２０）。
【００８０】
その後、入力部２０によって再生画像の変更指示が入力された場合（ステップＳ１２１：Ｙｅｓ）、表示制御部２９３は変更指示にしたがって画像を変更して再生を行う（ステップＳ１２２）。これに対して、入力部２０によって再生画像の変更指示が入力されない場合（ステップＳ１２１：Ｎｏ）、撮像装置１はステップＳ１１８へ移行する。
【００８１】
ステップＳ１１９で再生モードが設定されていない場合（ステップＳ１１９：Ｎｏ）、撮像装置１は、ステップＳ１１８へ移行する。
【００８２】
なお、図８に示すフローチャートでは、電源がオンされた後の起動時レンズ通信の際、レンズ部３が光学特性情報を本体部２へ送信していたが、レンズ部３が光学特性情報を本体部２へ送信する送信タイミングはこれに限られるわけではない。例えば、撮影モードに入った直後のレンズ通信時を送信タイミングとしてもよい。また、ＭＲ領域を選択するタッチ操作が行われた直後に本体部２がレンズ部３へ光学特性情報の送信要求を送信し、その応答としてレンズ部３が光学特性情報を送信するようにしてもよい。
【００８３】
以上説明した本発明の実施の形態１によれば、光学系が有する光学特性に基づいて撮像画像の部分画像における非対称部分を補正するため、撮像画像の部分画像においてコマ収差に基づいて生じる不自然さ（アンバランスさ）を解消することができる。
【００８４】
（実施の形態２）
図１８は、本発明の実施の形態２に係る撮像装置が行う処理の概要を示すフローチャートである。本実施の形態２に係る撮像装置の構成は、実施の形態１で説明した撮像装置１の構成と同様である。
【００８５】
図１８に示すフローチャートは、図８に示すフローチャートと画像補正処理が異なっている。このため、該当するステップ（ステップＳ１３１）以外の処理に対しては、図８に示すフローチャートと同じステップ番号を付してある。以下、ステップＳ１３１の処理について説明する。
【００８６】
ステップＳ１３１において、補正部１６２は、光学特性情報に加えて部分画像を用いて画像の補正を行う。図１９は、ステップＳ１３１の処理の概要を示すフローチャートである。まず、制御部２９は、ボケ部の形状と部分画像における位置を記録するＦｌａｓｈメモリ２６に記録する（ステップＳ３０１）。図２０は、ステップＳ３０１におけるボケ部の記録処理を説明する図である。図２０に示すように、制御部２９は、主画像の画面中心Ｃを原点とする座標系（ｘ座標）を部分画像の画面中心Ｃ’を原点とする座標系（ｘ’座標）に変換し、この新たな座標系における座標を記録する。座標系の変換は、二つの座標系の原点間の距離ｄだけシフトすることによって実現される。なお、図の上下方向についても座標系を変換してもよいが、ここでは簡単のために図の左右方向の座標系のみを変換する。また、サジタル方向とメリジオナル方向によって構成される直交座標系を用いて座標変換を行ってもよい。
【００８７】
続いて、判定部２９１は、部分画像の横方向の中心線に対して左右両側にボケ部があるか否かを判定する（ステップＳ３０２）。判定の結果、部分画像の横方向の中心線に対して左右両側にボケ部がある場合（ステップＳ３０２：Ｙｅｓ）、撮像装置１はステップＳ３０３へ移行する。一方、部分画像の中心に対して左右両側にボケ部がない場合（ステップＳ３０２：Ｎｏ）、撮像装置１はメインルーチンへ戻る。
【００８８】
ステップＳ３０３において、制御部２９は、基準側と反対側に位置するボケ部を一つ抽出する（ステップＳ３０３）。ここで、基準側とは、主画像の横方向の中心線に対して位置する側と同じ側として定められる。
【００８９】
その後、制御部２９は、上述した中心線に対し、抽出したボケ部と対称な位置に基準側のボケ部あるか否かを判定する（ステップＳ３０４）。判定の結果、抽出したボケ部と対称な位置に基準側のボケ部がある場合（ステップＳ３０４：Ｙｅｓ）、補正部１６２は、反対側の元の画像を除去し、基準側のボケ部を中心線に対して鏡像対称に配置したものを反対側に合成する（ステップＳ３０５）。
【００９０】
この後、制御部２９は、他に抽出すべきボケ部の有無を判定する（ステップＳ３０６）。判定の結果、他に抽出すべきボケ部がある場合（ステップＳ３０６：Ｙｅｓ）、撮像装置１はステップＳ３０３へ戻る。一方、判定の結果、他に抽出すべきボケ部がない場合（ステップＳ３０６：Ｎｏ）、撮像装置１はメインルーチンへ戻る。
【００９１】
次に、ステップＳ３０４において、制御部２９による判定の結果、抽出したボケ部と対称な位置に基準側のボケ部がない場合（ステップＳ３０４：Ｎｏ）を説明する。この場合、補正部１６２は、光学特性情報に基づいてボケ部を変形する（ステップＳ３０７）。ここでの変形は、レンズ情報記録部２６２が記録する光学特性情報（例えばＭＴＦデータ）を参照して行う。この後、撮像装置１は、ステップＳ３０６へ移行する。
【００９２】
図２１は、以上説明した画像補正処理の概要を示す図である。図２１（ａ）に示す部分画像３０２は、図６に示す切出し領域ＭＲに対応する部分画像である。したがって、部分画像３０２における基準側は、中心線ＣＬの右側である。部分画像３０２において、基準側には二つの光点Ｐ1、Ｐ2が存在し、反対側には二つの光点Ｐ3、Ｐ4が存在している。これらの光点Ｐ1〜Ｐ4は、コマ収差に起因したボケが発生している。
【００９３】
光点Ｐ3には、中心線ＣＬに対して対称な位置（基準側）に光点が存在しない。このため、図２１（ｂ）に示すように、光点Ｐ3は、部分画像３０４において、レンズ情報記録部２６２が記録する光学特性情報に基づいて補正されて光線Ｒ3に変形されている（上記ステップＳ３０７を参照）。
これに対して、光点Ｐ4は、中心線ＣＬに対して対称な位置に光点Ｐ2が存在している。このため、図２１（ｂ）に示すように、光点Ｐ4は、部分画像３０４において、中心線ＣＬに対して光点Ｐ2と対称な形状を有する光点Ｒ4に置き換えられている（上記ステップＳ３０５を参照）。
このようにして生成された部分画像３０４は、あたかも画面中心を中心線ＣＬ上に配置して撮像したかのような画像になっている。
【００９４】
以上説明した本発明の実施の形態２によれば、光学系が有する光学特性に基づいて撮像画像の部分画像における非対称部分を補正するため、撮像画像の部分画像においてコマ収差に基づいて生じる不自然さ（アンバランスさ）を解消することができる。
【００９５】
また、本実施の形態２によれば、マルチレコーディング処理における部分画像に対して適用することができる。したがって、マルチレコーディングした複数の画像をあたかも個別に撮影したかのような印象を与えることができる。
【００９６】
（実施の形態３）
本発明の実施の形態３は、光学特性情報として周辺光量を用い、画面周辺部における周辺光量の低下を補正することを特徴とする。本実施の形態３に係る撮像装置は、実施の形態１で説明した撮像装置１と同様の構成を有する。
【００９７】
図２２は、本実施の形態３に係る撮像装置１が処理対象とする画像の例を示す図である。同図に示す画像５０１では、光点Ｖがボケて周辺部が欠けた形状をなしている。このような現象は、周辺光量が低下した画像に見られる現象である。画像５０１に示す切出し領域ＭＲは、実施の形態１等と同様、マルチレコーディング処理の際に部分画像として撮像する領域である。
【００９８】
図２３は、レンズ情報記録部２６２が記録する光学特性情報をグラフ化した図である。具体的には、図２３は、画面の像高比と周辺光量比との関係を示す図である。曲線１０６からも明らかなように、周辺光量比は、像高比が大きくなるほど低下する傾向にある。
【００９９】
図２４は、撮像装置１が行う画像補正処理の概要を模式的に示す図である。図２４では、図２２に示す画像５０１の切出し領域ＭＲを切出すことによって得られる部分画像５０２の補正処理の概要を示している。撮像装置１の補正部１６２は、周辺光量の低下に伴って生じたボケ部としての光点Ｖを略円形状の光点Ｗに変形する。このような補正を行うことにより、部分画像５０３は、光学的な非対称性が解消され、あたかも主画像として撮像したかのような構成を有することとなる。
【０１００】
以上説明した本発明の実施の形態３によれば、光学系が有する光学特性に基づいて撮像画像の部分画像における非対称部分を補正するため、撮像画像の部分画像において周辺光量の低下に基づいて生じる不自然さ（アンバランスさ）を解消することができる。
【０１０１】
（その他の実施の形態）
ここまで、本発明を実施するための形態を説明してきたが、本発明は上述した実施の形態によってのみ限定されるべきものではない。例えば、本発明において、光学特性情報としてＭＴＦ性能多項式を与えてもよい。ＭＴＦ性能多項式は、焦点距離をｘ、絞り（Ｆ値）をｙとして、以下の式で与えられる。
ＭＴＦ＝Ｆ1ｘ＋Ｆ2ｘ2＋・・・＋Ｂ1ｙ＋Ｂ2ｙ2＋・・・＋Ｃ
ここで、Ｆ2ｘ2に続く「・・・」はｘの３次以上の項を意味し、Ｂ2ｙ2に続く「・・・」はｙの３次以上の項を意味する。この場合、レンズ部３は、ＭＴＦ多項式の係数を本体部２へ送信する。
【０１０２】
また、本発明において、光学特性情報としてＭＴＦや周辺光量以外の量を適用することも可能である。具体的には、例えば倍率色収差を光学特性情報として適用してもよい。
【０１０３】
また、本発明は、主画像の一部をトリミングした画像に対しても適用することが可能である。
【０１０４】
また、本発明は、静止画撮影時のみならず動画撮影時にも適用することが可能である。
【０１０５】
なお、本発明においては、本体部とレンズ部とが一体的に形成されていてもよい。
【０１０６】
また、本発明に係る撮像装置は、デジタル一眼レフカメラ以外にも、例えばアクセサリ等を装着可能なデジタルカメラ、デジタルビデオカメラおよび撮影機能を有する携帯電話やタブレット型携帯機器等の電子機器にも適用することができる。
【０１０７】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１０８】
このように、本発明は、ここでは記載していない様々な実施の形態を含みうるものであり、特許請求の範囲によって特定される技術的思想の範囲内で種々の設計変更等を行うことが可能である。
【符号の説明】
【０１０９】
１  撮像装置
２  本体部
２Ｂ  バス
３  レンズ部
４  アクセサリ部
１２  撮像素子
１６  画像処理部
１９  画像圧縮展開部
２０  入力部
２１  表示部
２２  表示駆動部
２３  記録媒体
２６  Ｆｌａｓｈメモリ
２７  本体通信部
２８  第２通信部
２９  制御部
３１  光学系
３５  レンズ操作部
３６  レンズＦｌａｓｈメモリ
３７  レンズ通信部
３８  レンズ制御部
４１  通信部
４２  接眼表示部
１０１、１０２、１０６  曲線
１０３、１０４、１０５  輝度曲線
１６１  切出し処理部
１６２  補正部
２６１  プログラム記録部
２６２  レンズ情報記録部
２９１  判定部
２９２  タッチ検出部
２９３  表示制御部
３０１、５０１  画像
３０２、３０３、３０４、４０１、４０２、４０３、５０２、５０３  部分画像
３６１  光学特性情報記録部
【図１】
0005933306.tif 000002
【図２】
0005933306.tif 000003
【図３】
0005933306.tif 000004
【図４】
0005933306.tif 000005
【図５】
0005933306.tif 000006
【図６】
0005933306.tif 000007
【図７】
0005933306.tif 000008
【図８】
0005933306.tif 000009
【図９】
0005933306.tif 000010
【図１０】
0005933306.tif 000011
【図１１】
0005933306.tif 000012
【図１２】
0005933306.tif 000013
【図１３】
0005933306.tif 000014
【図１４】
0005933306.tif 000015
【図１５】
0005933306.tif 000016
【図１６】
0005933306.tif 000017
【図１７】
0005933306.tif 000018
【図１８】
0005933306.tif 000019
【図１９】
0005933306.tif 000020
【図２０】
0005933306.tif 000021
【図２１】
0005933306.tif 000022
【図２２】
0005933306.tif 000023
【図２３】
0005933306.tif 000024
【図２４】
0005933306.tif 000025